(57)【要約】      （修正有）【課題】メモリの記憶容量を大きくすることなく高速の連続撮影が可能で、かつ、必要な画像データを取得するための手間や時間を軽減することが可能な撮像装置を提供する。【解決手段】被写体像を繰り返し撮像して複数の画像を連続的に生成する撮像部と、撮像部により画像が生成されるたびに、その画像に関する評価情報を生成し、評価情報を画像に付加する情報付加部と、評価情報に基づいて、画像の画像データを消去するか否かを判定する判定部と判定部により消去しないと判定された画像データを記録する記録部とを備える。【選択図】図１
2010093636.tif 000002
【特許請求の範囲】
【請求項１】
被写体像を繰り返し撮像して複数の画像を連続的に生成する撮像部と、
前記撮像部により前記画像が生成されるたびに、その画像に関する評価情報を生成し、前記評価情報を前記画像に付加する情報付加部と、
前記評価情報に基づいて、前記画像の画像データを消去するか否かを判定する判定部と
前記判定部により消去しないと判定された前記画像データを記録する記録部と
を備えたことを特徴とする撮像装置。
【請求項２】
請求項１に記載の撮像装置において、
前記情報付加部は、前記画像の合焦状態に関する情報と、評価対象の画像とそれ以前に生成された画像との差分情報とを求めて前記評価情報を生成する
ことを特徴とする撮像装置。
【請求項３】
請求項２に記載の撮像装置において、
前記情報付加部は、前記合焦状態に関する情報として、前記画像のコントラスト情報とデフォーカス量と、手ぶれ情報との少なくとも一つを求める
ことを特徴とする撮像装置。
【請求項４】
請求項２に記載の撮像装置において、
前記情報付加部は、前記差分情報として、評価対象の画像とそれ以前に生成された画像との変動割合を求める
ことを特徴とする撮像装置。
【請求項５】
請求項２に記載の撮像装置において、
前記情報付加部は、前記画像における主要被写体の占有面積比率をさらに加味して前記評価情報を生成する
ことを特徴とする撮像装置。
【請求項６】
請求項２から請求項５の何れか１項に記載の撮像装置において、
前記情報付加部は、複数のファクターについて評価値をそれぞれ求め、それらの評価値を加算または重み付け加算して代表評価値を求めることにより、前記評価情報を生成し、
前記判定部は、前記代表評価値と所定の閾値とを比較することにより前記判定を行う
ことを特徴とする撮像装置。
【請求項７】
請求項１から請求項６の何れか１項に記載の撮像装置において、
前記撮像部により繰り返し撮像が行われている最中に、その撮影速度を変更するユーザ指示を受け付ける受付部をさらに備え、
前記撮像部は、前記ユーザ指示にしたがって、撮影速度を変更する
ことを特徴とする撮像装置。
【請求項８】
請求項７に記載の撮像装置において、
前記記録部に記録された画像を再生する再生部をさらに備え、
前記再生部は、前記記録部に複数の画像の画像データが記録され、かつ、生成時の撮影速度が異なる画像が含まれる場合には、何れかの撮影速度を基準とした一定速度で再生を行う
ことを特徴とする撮像装置。
【請求項９】
請求項１から請求項６の何れか１項に記載の撮像装置において、
前記記録部に記録された画像を再生する再生部と、
前記評価情報に基づく新たな選別基準を示すユーザ指示を受け付ける受付部とをさらに備え、
前記再生部は、前記ユーザ指示にしたがって、前記記録部に記録された画像を再生する
ことを特徴とする撮像装置。
【発明の詳細な説明】
【技術分野】
【０００１】
本発明は、被写体像を撮像する撮像装置に関する。
【背景技術】
【０００２】
従来より、電子カメラなどの撮像装置による撮影において、撮影機会（いわゆるシャッターチャンス）を逃すということは、ユーザにとって大きな問題である。そこで、高速で連続撮影を行うことが考えられている（例えば、特許文献１参照）。
【特許文献１】特開２００８−７２６８２号公報
【発明の開示】
【発明が解決しようとする課題】
【０００３】
撮影機会を逃さないように高速で連続撮影を行う場合には、撮影可能間隔（コマ速度）を短くすることが好ましい。撮影可能間隔を短くするためには、メモリの記憶容量を大きくし、連続撮影で生成される多くの画像データを保持することが必要である。しかし、結果的には不要となる可能性のある画像データを含む多数の画像データを保管するためには、膨大な記憶容量のメモリが必要となる。また、メモリの記憶容量を大きくしたとしても、保管された多数の画像データからユーザが必要な画像データ（希望する画像データ）を参照したり抽出したりするのには、非常な手間と時間が必要になる。
【０００４】
本発明は、上記問題に鑑みてなされたものであり、メモリの記憶容量を大きくすることなく高速の連続撮影が可能で、かつ、必要な画像データを取得するための手間や時間を軽減することが可能な撮像装置を提供することを目的とする。
【課題を解決するための手段】
【０００５】
本発明の撮像装置は、被写体像を繰り返し撮像して複数の画像を連続的に生成する撮像部と、前記撮像部により前記画像が生成されるたびに、その画像に関する評価情報を生成し、前記評価情報を前記画像に付加する情報付加部と、前記評価情報に基づいて、前記画像の画像データを消去するか否かを判定する判定部と前記判定部により消去しないと判定された前記画像データを記録する記録部とを備える。
【０００６】
なお、前記情報付加部は、前記画像の合焦状態に関する情報と、評価対象の画像とそれ以前に生成された画像との差分情報とを求めて前記評価情報を生成しても良い。
【０００７】
また、前記情報付加部は、前記合焦状態に関する情報として、前記画像のコントラスト情報とデフォーカス量と、手ぶれ情報との少なくとも一つを求めても良い。
【０００８】
また、前記情報付加部は、前記差分情報として、評価対象の画像とそれ以前に生成された画像との変動割合を求めても良い。
【０００９】
また、前記情報付加部は、前記画像における主要被写体の占有面積比率をさらに加味して前記評価情報を生成しても良い。
【００１０】
また、前記情報付加部は、複数のファクターについて評価値をそれぞれ求め、それらの評価値を加算または重み付け加算して代表評価値を求めることにより、前記評価情報を生成し、前記判定部は、前記代表評価値と所定の閾値とを比較することにより前記判定を行っても良い。
【００１１】
また、前記撮像部により繰り返し撮像が行われている最中に、その撮影速度を変更するユーザ指示を受け付ける受付部をさらに備え、前記撮像部は、前記ユーザ指示にしたがって、撮影速度を変更しても良い。
【００１２】
また、前記記録部に記録された画像を再生する再生部をさらに備え、前記再生部は、前記記録部に複数の画像の画像データが記録され、かつ、生成時の撮影速度が異なる画像が含まれる場合には、何れかの撮影速度を基準とした一定速度で再生を行っても良い。
【００１３】
また、前記記録部に記録された画像を再生する再生部と、前記評価情報に基づく新たな選別基準を示すユーザ指示を受け付ける受付部とをさらに備え、前記再生部は、前記ユーザ指示にしたがって、前記記録部に記録された画像を再生しても良い。
【発明の効果】
【００１４】
本発明によれば、メモリの記憶容量を大きくすることなく高速の連続撮影が可能で、かつ、必要な画像データを取得するための手間や時間を軽減することが可能な撮像装置を提供することができる。
【発明を実施するための最良の形態】
【００１５】
以下、図面を用いて本発明の実施形態について説明する。本実施形態では、電子カメラを例に挙げて説明する。
【００１６】
図１は本実施形態の電子カメラの概略を示すブロック図である。電子カメラ１は、図１に示すように、撮影レンズ２、撮像素子３、ディジタル処理部４、内蔵メモリＡ５、内蔵メモリＢ６、画像処理部７、記録部８、表示部９の各部を備える。撮影レンズ２は、不図示のズームレンズなどを含む複数のレンズ群から成る。また、撮像素子３は、ＣＣＤやＣＭＯＳなどのイメージセンサを備え、被写体像を撮像してアナログ信号を出力する。ディジタル処理部４は、撮像素子３からアナログ信号を取得し、ディジタルデータを出力する。内蔵メモリＡ５、内蔵メモリＢ６は画像データなどを一時展開するためのメモリである。高速の連続撮影時には、内蔵メモリＡ５は作業領域として用いられ、内蔵メモリＢ６は保管領域として用いられる。処理の詳細は後述する。画像処理部７は、クランプレベルの削除処理、暗電流浮きの削除処理、シェーディング補正処理、補間処理、ホワイトバランス調整、色処理、階調補正、ノイズ除去などの画像処理を行う。記録部８は、不図示のカードインタフェースやメモリカードなどを備え、画像データや各種情報を記録する。表示部９は、不図示の表示制御部や表示素子を備え、画像や各種メニューなどを表示する。
【００１７】
電子カメラ１は、上述した構成に加えて、各部を制御する制御部１０および操作部１１をさらに備える。操作部１１は、レリーズ釦１１ａやコマ速変更釦１１ｂを含む各種操作部材を備える。コマ速変更釦１１ｂの詳細は後述する。操作部１１の状態は、制御部１０により検知される。また、制御部１０は、各部を統括的に制御するためのプログラムを予め記憶する。
【００１８】
以上説明した電子カメラ１において、撮影時には、制御部１０は、撮影レンズ２を介した被写体像を撮像素子３により撮像し、ディジタル処理部４、画像処理部７等を適宜制御して画像データを生成し、記録部８に記録するとともに表示部９に表示する。なお、電子カメラ１は、高速で連続撮影を行い、複数の画像を生成する「連続撮影モード」を備える。
【００１９】
連続撮影モードにおいては、レリーズ釦１１ａが押圧されている期間中、所定のコマ速度で撮像素子３による撮像を繰り返し行い、複数の画像を生成することにより、撮影機会を確実に捉えた画像を取得することができる。この連続撮影モードのＯＮ／ＯＦＦは、操作部１１を介したユーザ操作により行われる。さらに、連続撮影モードの詳細に関する設定も、操作部１１を介したユーザ操作により予め行われる。
【００２０】
設定される内容は以下の２つである。なお、以下では、短距離走のレースを被写体として連続撮影を行う場合を例に挙げて説明する。
【００２１】
１）コマ速度の設定
電子カメラ１は、上述したように、コマ速変更釦１１ｂを備える。このコマ速変更釦１１ｂは、レリーズ釦１１ａの近傍に配置され、ユーザは、レリーズ釦１１ａを押圧して連続撮影を行っている途中でこのコマ速変更釦１１ｂを押圧することにより、連続撮影の速度を変更可能である。なお、コマ速変更釦１１ｂは専用の部材であっても良いし、何らかの操作部材を兼用した部材であっても良い。
【００２２】
ユーザは、操作部１１を介して、複数段階のコマ速度を予め指定する。制御部１０は、指定されたコマ速度を記憶し、レリーズ釦１１ａが押圧され、連続撮影を行っている最中にコマ速変更釦１１ｂが押圧されると、これを検知して連続撮影のコマ速度を変更する。以下では、２段階のコマ速度として、３ｆｐｓと３０ｆｐｓとが指定されたものとして説明を行う。速い方のコマ速度（３０ｆｐｓ）は、短距離走のスタート直後やゴール地点前後のメインの時間帯を想定したコマ速度であり、遅い方のコマ速度（３ｆｐｓ）は、上記以外の時間帯を想定したコマ速度である。
【００２３】
なお、２段階のコマ速度が指定された場合には、コマ速変更釦１１ｂが押圧されるたびに、連続撮影のコマ速度を３ｆｐｓと３０ｆｐｓとの間で切り換える。連続撮影時の模式図を図２に示す。また、３段階以上のコマ速度が指定された場合には、順次コマ速度を切り換えれば良い。
【００２４】
２）判定に用いるフラグの設定
本実施形態では、連続撮影により生成される複数の画像を選別するための判定に、以下のフラグを用いる。
【００２５】
ａ．合焦状態
合焦状態は、判定対象の画像が生成された際のコントラスト情報、デフォーカス量、手ぶれ情報の少なくとも一つに基づいて求めることができる。合焦状態に関しては、「合焦状態をフラグとして利用しない（＝合焦状態は不問）」または「合焦状態をフラグとして利用し、合焦状態である場合のみＯＫとする」の何れかを設定可能とする。
【００２６】
ｂ．主要被写体の占有面積比率
主要被写体の占有面積比率は、判定対象の画像に占める主要被写体の面積比率である。主要被写体は、例えば、顔認識、テンプレートマッチングによる主要被写体（ペットモードやキッズモードなどの撮影シーンにおいて指定される主要被写体など）検出、追尾ＡＦによる主要被写体情報などに基づいて抽出することができる。そして、抽出した主要被写体の面積を求め、画像全体に対する占有面積率を算出することができる。主要被写体の占有面積比率に関しては、「主要被写体の占有面積比率をフラグとして利用しない（＝主要被写体の占有面積比率は不問）」または「主要被写体の占有面積比率をフラグとして利用し、主要被写体の占有面積比率が閾値Ｔａ以上である場合のみＯＫとする」の何れかを設定可能とする。なお、閾値Ｔａも、ユーザにより設定可能とする。
【００２７】
ｃ．前画像に対する変動割合（同一性）
前画像に対する変動割合は、判定対象の画像と、それ以前に生成された画像との変動割合である。比較対象の画像を何れの画像にするかについては、その詳細を後述する。なお、変動割合は、画像を所定数の領域に分割し、領域ごとの変動割合を算出することにより求めることができる。変動割合に関しては、「変動割合をフラグとして利用しない（＝変動割合は不問）」または「変動割合をフラグとして利用し、変動割合が閾値Ｔｂ以上Ｔｃ以下である場合のみＯＫとする」の何れかを設定可能とする。なお、閾値ＴｂおよびＴｃも、ユーザにより設定可能とする。変動割合について設けられる上下の閾値のうち、下側の閾値（Ｔｂ）は、変動割合が非常に小さい画像を除外するための閾値である。変動割合が非常に小さい場合には、２枚の画像はほとんど変化のない画像であるとみなすことができる。そのため、これらの画像を両方残すことは無駄であるので、下側の閾値（Ｔｂ）により除外する。一方、上側の閾値（Ｔｃ）は、変動割合が非常に大きい画像を除外するための閾値である。変動割合が非常に大きい場合には、２枚の画像は完全に連続動作での撮影ではないとみなすことができる。そのため、上側の閾値（Ｔｃ）により除外することにより、人によるさえぎりなど突発的に混ざってしまった画像を除外することができる。
【００２８】
フラグの設定は、例えば、図３に示す設定画面を表示部９に表示することにより行う。ユーザは、表示部９に表示された設定画面を目視しながら操作部１１を操作することにより、フラグの設定を行う。なお、以下では、短距離走のレースを被写体として連続撮影を行う場合を想定し、ａ．の合焦状態に関しては、「合焦状態をフラグとして利用し、合焦状態である場合のみＯＫとする」を設定し、ｂ．の主要被写体の占有面積比率に関しては、「主要被写体の占有面積比率をフラグとして利用しない（＝主要被写体の占有面積比率は不問）」を設定し、ｃ．の変動割合に関しては、「変動割合をフラグとして利用し、変動割合が閾値Ｔｂ（Ｔｂ＝２０％）以上Ｔｃ（Ｔｃ＝９０％）以下である場合のみＯＫとする」を設定したものとして説明を行う。
【００２９】
以上説明した連続撮影モードの詳細に関する設定が行われた後に、レリーズ釦１１ａが押圧されて連続撮影が開始されると、制御部１０は、画像を生成するたびに上述したフラグに設定された各評価値を生成して画像に付加情報として付加する。さらに、付加情報には、フラグとしての利用有無を示す情報も付加される。評価値とは、ａ．の合焦状態に関しては、合焦しているか否かを示す値（例えば０または１など）であり、ｂ．の主要被写体の占有面積比率に関しては、占有面積比率（例えば、２０％など）であり、ｃ．の変動割合に関しては、変動割合（例えば、４５％など）である。なお、「フラグとして利用する」と設定された評価値のみを算出する構成としても良い。
【００３０】
制御部１０は、画像に付加された付加情報にしたがって判定を行い、画像を選別する。このときの制御部１０の動作について、図４のフローチャートを参照して説明する。なお、連続撮影により生成された画像は順次上述した付加情報が付加された後に内蔵メモリＡ５に蓄積される。制御部１０は、これらの画像に対して順次後述の処理を行う。
【００３１】
ステップＳ１において、制御部１０は、合焦状態に関する設定が「不問」であるか否かを判定する。制御部１０は、判定対象の画像の付加情報を参照し、合焦状態に関する設定が「不問」でない、すなわち、「合焦状態をフラグとして利用する」と設定されている場合には、ステップＳ２に進み、合焦状態に関する設定が「不問」である場合には後述するステップＳ３に進む。上述したように、短距離走のレースを被写体として想定し、ａ．の合焦状態が「合焦状態をフラグとして利用し、合焦状態である場合のみＯＫとする」と設定されている場合には、ステップＳ２に進む。
【００３２】
ステップＳ２において、制御部１０は、判定対象の画像のフラグを参照し、合焦状態であるか否かを判定する。そして、制御部１０は、合焦状態であると判定するとステップＳ３に進み、合焦状態でないと判定すると後述するステップＳ９に進む。
【００３３】
ステップＳ３において、制御部１０は、主要被写体の占有面積比率に関する設定が「不問」であるか否かを判定する。制御部１０は、判定対象の画像のフラグを参照し、主要被写体の占有面積比率に関する設定が「不問」でない、すなわち、「主要被写体の占有面積比率をフラグとして利用する」と設定されてる場合には、ステップＳ４に進み、主要被写体の占有面積比率に関する設定が「不問」である場合には後述するステップＳ５に進む。上述したように、短距離走のレースを被写体として想定し、ｂ．の主要被写体の占有面積比率が「主要被写体の占有面積比率をフラグとして利用しない（＝主要被写体の占有面積比率は不問）」と設定されている場合には、ステップＳ５に進む。
【００３４】
ステップＳ４において、制御部１０は、判定対象の画像のフラグを参照し、主要被写体の占有面積比率が設定された閾値Ｔａ以上であるか否かを判定する。そして、制御部１０は、占有面積比率が設定された閾値Ｔａ以上であると判定するとステップＳ５に進み、占有面積比率が設定された閾値Ｔａ未満であると判定すると後述するステップＳ９に進む。
【００３５】
ステップＳ５において、制御部１０は、判定対象の画像が、連続撮影の１枚目の画像であるか否かを判定する。制御部１０は、１枚目の画像であると判定すると後述するステップＳ８に進み、１枚目の画像でない（＝連続撮影の２枚目以降の画像である）と判定するとステップＳ６に進む。
【００３６】
ステップＳ６において、制御部１０は、変動割合に関する設定が「不問」であるか否かを判定する。制御部１０は、判定対象の画像のフラグを参照し、変動割合に関する設定が「不問」でない、すなわち、「変動割合をフラグとして利用する」と設定されてる場合には、ステップＳ７に進み、変動割合に関する設定が「不問」である場合には後述するステップＳ８に進む。上述したように、短距離走のレースを被写体として想定し、ｃ．の変動割合が「変動割合をフラグとして利用し、変動割合が閾値Ｔｂ（Ｔｂ＝２０％）以上Ｔｃ（Ｔｃ＝９０％）以下である場合のみＯＫとする」と設定されている場合には、ステップＳ７に進む。
【００３７】
ステップＳ７において、制御部１０は、判定対象の画像のフラグを参照し、変動割合が設定された閾値Ｔｂ以上Ｔｃ以下であるか否かを判定する。そして、制御部１０は、変動割合が設定された閾値Ｔｂ以上Ｔｃ以下であると判定するとステップＳ８に進み、変動割合が設定された閾値Ｔｂ未満またはＴｃを超えると判定すると後述するステップＳ１０に進む。
【００３８】
ステップＳ８において、制御部１０は、判定対象の画像の画像データを内蔵メモリＢ６にコピー転送して保存し、次の画像を判定対象として、ステップＳ１からの処理を同様に行う。なお、内蔵メモリＡ５には、この画像が引き続き残される。これは、２枚目以降の画像において評価値の算出に用いるためである。
【００３９】
ステップＳ９において、制御部１０は、上述したステップＳ５と同様に、判定対象の画像が、連続撮影の１枚目の画像であるか否かを判定する。制御部１０は、１枚目の画像であると判定すると後述するステップＳ１１に進み、１枚目の画像でない（＝連続撮影の２枚目以降の画像である）と判定するとステップＳ１０に進む。
【００４０】
ステップＳ１０において、制御部１０は、判定対象の画像の画像データを内蔵メモリＡ５から消去し、次の画像を判定対象として、ステップＳ１からの処理を同様に行う。なお、内蔵メモリＡ５には、評価値の算出に用いた画像が引き続き残される。
【００４１】
ステップＳ１１において、制御部１０は、判定対象の画像の画像データを内蔵メモリＡ５にそのまま残し、次の画像を判定対象として、ステップＳ１からの処理を同様に行う。
【００４２】
以下説明した処理を、連続撮影により生成された画像に順次行うことにより、作業領域である内蔵メモリＡ５には、比較対象として利用可能な最新の１画像の画像データのみが残り、保管領域である内蔵メモリＢ６には、フラグ設定にしたがって選別された画像の画像データのみが蓄積されていくこととなる。図５に、画像の選別の模式図を示す。図５Ａは、図２に示した連続撮影時の模式図である。そして、図５Ｂは、上述した処理による自動選別後の模式図である。図５Ｂに示すように、フラグ設定にしたがった選別の結果、点線で示す画像の画像データは消去され、実線で示す画像の画像データのみが蓄積される。したがって、必要な画像の画像データのみを保管し、メモリ容量を必要とする不要な画像の画像データは保管せずに消去することができる。
【００４３】
また、制御部１０は、保管領域である内蔵メモリＢ６に蓄積された画像の画像データについて、付加情報を付加したまま、画像処理部７による画像処理を施す。そして、画像処理部７による画像処理を終了すると、制御部１０は、画像処理後の画像データを再び保管領域である内蔵メモリＢ６に格納する。このように、選別後の画像の画像データにのみ画像処理部７による画像処理を行うことにより、無駄な処理を省くことができる。なお、画像処理部７による画像処理は、連続撮影の実行中から開始しても良い。
【００４４】
また、保管領域である内蔵メモリＢ６に蓄積された画像の画像データは、記録部８に自動で記録する構成としても良いし、さらにユーザによる選別および指示を受け付けた後に記録部８に記録する構成としても良い。
【００４５】
最後に、連続撮影により生成した複数の画像の再生について説明する。上述したように、本実施形態においては、コマ速変更釦１１ｂの操作により連続撮影の速度を変更可能である。したがって、図２に示したように、時間ｔに対して部分的に撮影時間間隔が異なる複数の画像が生成される。そこで、これらの画像を表示部９に順番に表示する際には、何れかの撮影時間間隔に合わせて全ての画像の再生時間間隔を一定の時間間隔に決定すると良い。このとき、撮影時間間隔が長い部分の画像を基準とし、この部分の画像が見やすい再生時間間隔を決定すれば、全体の表示に要する時間を短縮することができる。逆に、撮影時間間隔が短い部分の画像を基準とし、この部分の画像が見やすい再生時間間隔を決定すれば、詳細を確認するのに適した表示を行うことができる。再生時間間隔に関する指定は、操作部１１を介したユーザ操作により行う構成とすると良い。
【００４６】
さらに、再生時に新たな選別基準を追加して再生表示を行っても良い。例えば、再生時にフラグの再設定を行い、再設定されたフラグにしたがって、上述した選別処理を再度行っても良い。この場合、最初に設定されたフラグの設定よりも厳しい条件のみ設定可能とすれば良い。例えば、上述した例では、「変動割合が閾値Ｔｂ（Ｔｂ＝２０％）以上Ｔｃ（Ｔｃ＝９０％）以下である場合のみＯＫとする」と設定された場合を例に挙げて説明したが、例えば、Ｔｂ＝３０％，Ｔｃ＝７０％と再設定することにより、さらに画像を絞り込んで選別することができる。このような構成とすれば、自動で選別された画像の数が未だ多すぎて、参照したり抽出したりするのに手間や時間が必要な場合などに有用である。
【００４７】
以上説明したように、本実施形態によれば、被写体像を繰り返し撮像して複数の画像を連続的に生成し、画像が生成されるたびに、その画像に関する評価情報を生成し、評価情報を画像に付加する。そして、付加した評価情報に基づいて、画像の画像データを消去するか否かを判定し、消去しないと判定された画像データを記録する。したがって、メモリの記憶容量を大きくすることなく高速の連続撮影が可能で、かつ、必要な画像データを取得するための手間や時間を軽減することができる。
【００４８】
また、本実施形態によれば、画像の合焦状態に関する情報と、評価対象の画像とそれ以前に生成された画像との差分情報とを求めて評価情報を生成する。したがって、必要な画像のみを選別し、無駄な画像が保管されるのを防ぐことができる。
【００４９】
また、本実施形態によれば、繰り返し撮像が行われている最中に、その撮影速度を変更するユーザ指示を受け付ける受付部をさらに備え、ユーザ指示にしたがって、撮影速度を変更する。したがって、被写体の変化に応じて好適な速度で撮影を行うことができる。
【００５０】
また、本実施形態によれば、複数の画像の画像データが記録され、かつ、生成時の撮影速度が異なる画像が含まれる場合には、何れかの撮影速度を基準とした一定速度で再生を行う。したがって、ユーザの目的に応じた好適な再生速度で画像の再生を行うことができる。
【００５１】
なお、本実施形態では、複数のフラグを用いて画像の選別を行う場合を例に挙げて説明したが、複数のファクターについて評価値をそれぞれ求め、それらの評価値を加算または重み付け加算して代表評価値を求め、この代表評価値に基づく一つのフラグを用いて画像の選別を行っても良い。例えば、本実施形態で説明した３つのファクター（ａ．合焦状態、ｂ．主要被写体の占有面積比率、ｃ．前画像に対する変動割合）のそれぞれの評価値を求め、ポイント付けなどをして代表評価値を求める。そして、この代表評価値とユーザにより設定される閾値とを比較することにより、保管する画像と消去する画像とを選別しても良い。このような構成とすれば、複数のファクターの何れかに誤差などが生じたとしても、比較的好ましい選別を実現することができる。
【００５２】
また、本実施形態で説明した選別の工程は一例であり、本発明はこの例に限定されない。例えば、本実施形態では、ａ．合焦状態、ｂ．主要被写体の占有面積比率、ｃ．前画像に対する変動割合の順番でフラグの判定を行う例を示したが、異なる順番でフラグの判定を行う構成としても良い。
【００５３】
また、本実施形態で例示した以外のファクターを用いてフラグの判定を行う構成としても良い。例えば、主要被写体がに文字情報（車のナンバー、競技者のゼッケンなど）が含まれる場合には、この文字情報を認識し、認識度合いを用いてフラグの判定を行っても良い。また、顔認識の可否や、テンプレートマッチングの精度、追尾ＡＦの精度などを用いてフラグの判定を行っても良い。
【００５４】
また、本実施形態では、作業領域である内蔵メモリＡ５と、保管領域である内蔵メモリＢ６とを独立に備える構成を例に挙げて説明したが、本発明はこの例に限定されない。例えば、記録部８のメモリカードの容量を転用しても良いし、一つのメモリを部分的にそれぞれのメモリとして利用しても良い。
【００５５】
また、本実施形態で説明した処理の一部をコンピュータにより実現することも可能である。図６は、コンピュータの概略を示すブロック図である。コンピュータ１００は、図６に示すように、取得部１０１、内蔵メモリＡ１０５、内蔵メモリＢ１０６、画像処理部１０７、記録部１０８、表示部１０９、制御部１１０、操作部１１１の各部を備える。取得部１０１は、有線、無線、記録媒体用のドライブなどを介して、電子カメラなどの外部機器や記録媒体から画像データを取得する。画像処理部１１７は、第１実施形態の画像処理部７と同様である。記録部１０８は、画像データなどを記録する。表示部１０９は、液晶表示素子などの画像表示素子を備える。操作部１１１は、電源釦、マウス、キーボードなどを含む。制御部１１０は、各部を統合的に制御する。また、制御部１１０は、各処理を実行するためのプログラムを予め記録している。
【００５６】
そして、コンピュータ１００は、取得部１０１を介して、外部から連続撮影により生成された複数の画像を取得する。そして、制御部１１０は、画像を取得するたびに上述した実施形態で説明した各評価値を生成して画像に付加情報として付加する。さらに、制御部１１０は、図４のフローチャートと同様の処理を行うことにより、同様に画像の選別を行うことができる。このようなプログラムは、画像の編集ソフトウェアやアルバムソフトウェアに好適である。また、ＷＥＢカメラなどの遠隔カメラとコンピュータとからなるカメラシステムにも好適である。
【図面の簡単な説明】
【００５７】
【図１】本実施形態の電子カメラの概略を示すブロック図である。
【図２】連続撮影時の模式図である。
【図３】設定画面の一例を示す図である。
【図４】画像を選別する際の制御部１０の動作を示すフローチャートである。
【図５】画像の選別の模式図である。
【図６】本実施形態のコンピュータ１００の概略を示すブロック図である。
【符号の説明】
【００５８】
１…電子カメラ、５・６・１０５・１０６…内蔵メモリ、７・１０７…画像処理部、１０・１１０…制御部、１１・１１１…操作部、１１ａ…レリーズ釦、１１ｂ…コマ速変更釦、１００…コンピュータ、１０１…取得部
【図１】
2010093636.tif 000003
【図２】
2010093636.tif 000004
【図３】
2010093636.tif 000005
【図４】
2010093636.tif 000006
【図５】
2010093636.tif 000007
【図６】
2010093636.tif 000008